(57)【要約】【課題】  料金を支払うことなく飲料水を使用することを防止することができると共に、給水ボトル内への他の物質の混入を防止できて十分な安全性を確保できて使用者が安心して飲用することのできる有料給水機を提供する。【解決手段】  この発明の有料給水機１は、給水ボトル３と、給水機構を備えた給水機本体部２と、前記給水ボトルを前記給水機本体部に着脱可能に固定する固定手段４と、前記固定手段による固定状態のロック・ロック解除を行う安全ロック手段５と、給水の使用料を徴収する料金収受手段６とを備え、前記料金収受手段６が使用料を徴収した時に前記給水機本体部２において所定時間給水を行うようになされていることを特徴とする。【選択図】  図１
2006113643.tif 000002
【特許請求の範囲】
【請求項１】
給水ボトルと、
給水機構を備えた給水機本体部と、
前記給水ボトルを前記給水機本体部に着脱可能に固定する固定手段と、
前記固定手段による固定状態のロック・ロック解除を行う安全ロック手段と、
給水の使用料を徴収する料金収受手段とを備え、
前記料金収受手段が使用料を徴収した時に前記給水機本体部において給水を行うようになされていることを特徴とする有料給水機。
【請求項２】
前記給水ボトルは、その外周面に周方向に沿って溝部が形成される一方、前記固定手段は略リング状体を備えてなり、該略リング状体が前記給水ボトルの外周面の溝部に嵌まり込んだ状態で前記給水機本体部に固定されることによって前記給水ボトルの取り外しが阻止されている請求項１に記載の有料給水機。
【請求項３】
前記給水ボトルは、その外周面に周方向に沿って溝部が形成され、
前記固定手段は、前記給水機本体部の水平方向の一端側から上方に向けて突出した状態で固定された第１固定片と、該第１固定片に基端部を枢支された一対の半円弧状体と、前記給水機本体部の水平方向の他端側から上方に向けて突出した状態で固定された第２固定片とを備え、
前記一対の半円弧状体が略リング状に閉じて前記給水ボトルの外周面の溝部に嵌まり込んだ状態で前記第２固定片に固定されることによって前記給水ボトルの取り外しが阻止されている請求項１に記載の有料給水機。
【請求項４】
前記給水ボトルは、その外周面に周方向に沿って溝部が形成され、
前記固定手段は、前記給水機本体部の水平方向の一端側から上方に向けて突出した状態で固定された第１固定片と、該第１固定片に基端部を枢支された一対の半円弧状体と、該半円弧状体の先端から上方に延ばされた係止片と、前記給水機本体部の水平方向の他端側から上方に向けて突出した状態で固定された、上下方向へのスライド移動が可能な第２固定片と、該第２固定片の上端部に設けられた、下底が開放された収納ボックス部とを備え、
前記一対の半円弧状体が略リング状に閉じて前記給水ボトルの外周面の溝部に嵌まり込んだ状態で、且つ前記係止片が前記第２固定片の収納ボックス内に下方側から収容されてボトル周方向への移動が阻止された状態で前記第２固定片に固定されることによって前記給水ボトルの取り外しが阻止されている請求項１に記載の有料給水機。
【請求項５】
前記安全ロック手段は、鍵によりロック・ロック解除を行う請求項１〜４のいずれか１項に記載の有料給水機。
【請求項６】
前記給水機本体部は、
給水スイッチ及び冷却手段を有した給水ラインと、
給湯スイッチ及び加熱手段を有した給湯ラインとを備えていることを特徴とする請求項１〜５のいずれか１項に記載の有料給水機。
【請求項７】
前記料金収受手段は、使用料を硬貨により徴収する請求項１〜６のいずれか１項に記載の有料給水機。
【発明の詳細な説明】
【技術分野】
【０００１】
この発明は、使用料を支払うことにより例えば飲料水等の供給が行われる有料給水機に関する。
【背景技術】
【０００２】
給水機としては、例えば、給水機構及び冷却機構を備えた給水機本体の上面に、ミネラルウォーター等の水が充填されたボトル（タンク）が倒立状態に設置された構成のものが公知である（特許文献１参照）。このような給水機があれば、使用者に対して必要な際に冷たい飲料水を適宜供給することができて非常に便利である。
【特許文献１】特表２００２−５０８０５６号公報（図１）
【発明の開示】
【発明が解決しようとする課題】
【０００３】
ところで、上記のような給水機として、本発明者は、飲料水の給水時に料金を徴収するようにした有料給水機を開発した。このような有料給水機は、病院、学校、役所等の不特定多数の人が出入りする場所に設置されることも多くなってきているが、上記特許文献１に記載の従来の給水機構造では、例えばボトルが外されて料金を支払うことなく中の飲料水を不正に使用される可能性があるという問題があった。また、特に不特定多数の人が出入りする場所（例えば病院、学校、役所等）においては、ボトルが取り外されてボトルの中に飲料に適さない物質が混入されるようなことを防止することができないことから、安全面での不安を解消することができなかった。
【０００４】
この発明は、かかる技術的背景に鑑みてなされたものであって、料金を支払うことなく飲料水を使用することを防止することができると共に、給水ボトル内への他の物質の混入を防止できて十分な安全性を確保できて使用者が安心して飲用することのできる有料給水機を提供することを目的とする。
【課題を解決するための手段】
【０００５】
前記目的を達成するために、本発明は以下の手段を提供する。
【０００６】
［１］給水ボトルと、給水機構を備えた給水機本体部と、前記給水ボトルを前記給水機本体部に着脱可能に固定する固定手段と、前記固定手段による固定状態のロック・ロック解除を行う安全ロック手段と、給水の使用料を徴収する料金収受手段とを備え、前記料金収受手段が使用料を徴収した時に前記給水機本体部において給水を行うようになされていることを特徴とする有料給水機。
【０００７】
［２］前記給水ボトルは、その外周面に周方向に沿って溝部が形成される一方、前記固定手段は略リング状体を備えてなり、該略リング状体が前記給水ボトルの外周面の溝部に嵌まり込んだ状態で前記給水機本体部に固定されることによって前記給水ボトルの取り外しが阻止されている前項１に記載の有料給水機。
【０００８】
［３］前記給水ボトルは、その外周面に周方向に沿って溝部が形成され、
前記固定手段は、前記給水機本体部の水平方向の一端側から上方に向けて突出した状態で固定された第１固定片と、該第１固定片に基端部を枢支された一対の半円弧状体と、前記給水機本体部の水平方向の他端側から上方に向けて突出した状態で固定された第２固定片とを備え、
前記一対の半円弧状体が略リング状に閉じて前記給水ボトルの外周面の溝部に嵌まり込んだ状態で前記第２固定片に固定されることによって前記給水ボトルの取り外しが阻止されている前項１に記載の有料給水機。
【０００９】
［４］前記給水ボトルは、その外周面に周方向に沿って溝部が形成され、
前記固定手段は、前記給水機本体部の水平方向の一端側から上方に向けて突出した状態で固定された第１固定片と、該第１固定片に基端部を枢支された一対の半円弧状体と、該半円弧状体の先端から上方に延ばされた係止片と、前記給水機本体部の水平方向の他端側から上方に向けて突出した状態で固定された、上下方向へのスライド移動が可能な第２固定片と、該第２固定片の上端部に設けられた、下底が開放された収納ボックス部とを備え、
前記一対の半円弧状体が略リング状に閉じて前記給水ボトルの外周面の溝部に嵌まり込んだ状態で、且つ前記係止片が前記第２固定片の収納ボックス内に下方側から収容されてボトル周方向への移動が阻止された状態で前記第２固定片に固定されることによって前記給水ボトルの取り外しが阻止されている前項１に記載の有料給水機。
【００１０】
［５］前記安全ロック手段は、鍵によりロック・ロック解除を行う前項１〜４のいずれか１項に記載の有料給水機。
【００１１】
［６］前記給水機本体部は、給水スイッチ及び冷却手段を有した給水ラインと、給湯スイッチ及び加熱手段を有した給湯ラインとを備えていることを特徴とする前項１〜５のいずれか１項に記載の有料給水機。
【００１２】
［７］前記料金収受手段は、使用料を硬貨により徴収する前項１〜６のいずれか１項に記載の有料給水機。
【発明の効果】
【００１３】
［１］の発明では、固定手段による給水ボトルの固定状態のロックを安全ロック手段により行うものであり、非管理者（管理者以外の人）による給水ボトルの取り外しを防止できるので、料金を支払うことなく飲料水を使用する不正使用を防止することができると共に、給水ボトル内への他の物質（飲料に適さない液体、粉末等）の混入を防止できて十分な安全性を確保できて使用者は安心して飲用できるものとなる。また、管理者が給水ボトルを交換する際には安全ロック手段により給水ボトルの固定状態のロック解除を行えば良いから、給水ボトルの交換もスムーズに行うことができる。
【００１４】
［２］の発明では、略リング状体が給水ボトルの外周面の溝部に嵌まり込んだ状態で給水機本体部に固定されているので、非管理者による給水ボトルの取り外しが確実に阻止される。
【００１５】
［３］の発明では、一対の半円弧状体が略リング状に閉じてこれら半円弧状体が給水ボトルの外周面の溝部に嵌まり込んだ状態で第２固定片に固定されているので、給水ボトルの取り外しが確実に阻止される。また、半円弧状体は、いずれもその基端部を第１固定片に枢支されており、該基端部を中心にして自在に回動できるので、一対の半円弧状体の開閉操作をスムーズに行うことができ、これにより管理者による給水ボトルの固定操作・固定解除操作が容易化される。
【００１６】
［４］の発明では、一対の半円弧状体が略リング状に閉じてこれら半円弧状体が給水ボトルの外周面の溝部に嵌まり込んだ状態で第２固定片に固定されているので、給水ボトルの取り外しが確実に阻止される。また、半円弧状体は、いずれもその基端部を第１固定片に枢支されており、該基端部を中心にして自在に回動できるので、一対の半円弧状体の開閉操作をスムーズに行うことができ、これにより管理者による給水ボトルの固定操作・固定解除操作が容易化される。更に、係止片が、第２固定片の収納ボックス内に下方側から収容されてボトル周方向への移動が阻止された状態で第２固定片に固定される一方、第２固定片は上下方向へのスライド移動が可能となされているから、この第２固定片を上方向へスライド移動するだけで、リング状に閉じた一対の半円弧状体を開いて給水ボトルの固定状態を解除することができるので、固定解除操作が一層容易化される。
【００１７】
［５］の発明では、安全ロック手段は、鍵によりロック・ロック解除を行うものとなされているから、ロック状態の安全性をさらに高めることができる。
【００１８】
［６］の発明では、給水機本体部は、給水スイッチ及び冷却手段を有した給水ラインと、給湯スイッチ及び加熱手段を有した給湯ラインとを備えているから、使用者の希望に応じて冷たい飲料水や熱い飲料水を適宜供給することができる。
【００１９】
［７］の発明では、料金収受手段は、使用料を硬貨により徴収するものとなされており、硬貨は最も汎用性のある支払い手段であるから、使用者に対して不便を与えることがない。また、高額な紙幣が料金収受手段に保管されるようなことがないので、盗難対象になり難いという利点もある。
【発明を実施するための最良の形態】
【００２０】
この発明の一実施形態に係る有料給水機（１）について図１〜８を参照しつつ説明する。これらの図面において、（２）は給水機本体部、（３）は給水ボトル、（４）は固定手段、（５）は安全ロック手段、（６）は料金収受手段である。
【００２１】
前記給水機本体部（２）は、図１、２に示すように、外形形状が略直方体状のケースを備え、該ケースの前面（正面）にコップセット用スペース（５８）が設けられると共に、ケース前面における前記スペース（５８）の上部位置に給湯スイッチ（ボタン）（５２）及び給水スイッチ（ボタン）（５３）が配置されている。なお、図２（ロ）において、（５９）は給湯ノズルであり、（６０）は給水ノズルである。
【００２２】
前記給水機本体部（２）のケースの上面には、図７に示すように、ボトル受容凹陥部（５１）が形成されている。このボトル受容凹陥部（５１）の内径は、図８に示すように、給水ボトル（３）の縮径先端部（４２）を受容し得る大きさに設定されている。前記ボトル受容凹陥部（５１）は、さらに下へ延ばされて略円柱形状の凹陥部になるように構成されている。このボトル受容凹陥部（５１）内に、前記給水ボトル（３）内の水が貯留される（図８参照）。
【００２３】
前記ボトル受容凹陥部（５１）の底面には、図８に示すように、給湯管（給湯ライン）（５６）及び給水管（給水ライン）（５７）が接続されている。前記給湯管（５６）の途中位置に加熱手段（５４）が設けられ、さらにその下流側の位置に電磁バルブ（６１）が設けられ、前記給湯管（５６）の下流側先端に前記給湯ノズル（５９）が接続されている。また前記前記給水管（５７）の途中位置に冷却手段（５５）が設けられ、さらにその下流側の位置に電磁バルブ（６２）が設けられ、前記給水管（５７）の下流側先端に前記給水ノズル（６０）が接続されている。これら給湯管（５６）、電磁バルブ（６１）、給湯ノズル（５９）、給水管（５７）、電磁バルブ（６２）および給水ノズル（６０）によって、給水機本体部（２）の給水機構が構成されている。
【００２４】
前記給水機本体部（２）のケースの右側面には料金収受手段（６）が取付固定されている。この料金収受手段（６）は、一面が開放された略直方体の外形形状を有する料金収受ボックス本体（３０）と、該ボックス本体（３０）の開放面に取り付けられた扉（３３）とを備えている（図１、３参照）。この扉（３３）は、図３に示すように、図面右端の上部及び下部を蝶番を介して料金収受ボックス本体（３０）に取り付けられて図面右側に開き得るものとなされている。図１に示すように、前記扉（３３）の端部に鍵穴（３３ａ）が設けられており、扉（３３）を閉じた状態で鍵穴（３３ａ）に鍵を挿入して閉錠することにより、扉（３３）はロック状態に固定されている。徴収した使用料を回収する際には、鍵穴（３３ａ）に鍵を挿入して開錠して扉（３３）を開ければ、徴収した硬貨を容易に回収することができる。
【００２５】
前記料金収受ボックス本体（３０）の前面側の側面の上部位置に硬貨投入口（３４）が設けられ、同じく前面側の側面の中央位置に硬貨返却口（３５）が設けられている。また前記料金収受ボックス本体（３０）の内部に硬貨保管箱（３８）が固定されている。また、前記扉（３３）の内面の上部位置には、図３に示すように、検銭器（硬貨選別器）（３７）が取り付けられている。この検銭器（３７）は、適正な硬貨であるか否か選別する装置であり、その構造及び選別機構は従来より公知であるのでここでの説明は省略する。なお、図３において、（３６）は制御部である。この制御部（３６）は、前記検銭器（３７）において所定の硬貨の投入が確認された場合に、使用者が前記給湯スイッチ（５２）を押した際には前記電磁バルブ（６１）を所定時間（又は所定量給湯するまで）開放制御する一方、使用者が前記給水スイッチ（５３）を押した時には前記電磁バルブ（６２）を所定時間（又は所定量給水するまで）開放制御するものである。
【００２６】
前記料金収受ボックス本体（３０）の上面壁の長さ方向の中央部における前記給水機本体部（２）側の縁部に、第２固定片（１２）を挿通するための挿通孔（３０ａ）が形成されている（図３参照）。また、前記料金収受ボックス本体（３０）の上面壁の長さ方向の中央部に鍵部（２１）が設けられている、即ち前記中央部に鍵孔（２１ａ）が形成されている（図１、３参照）。前記鍵部（２１）は、前記上面壁を貫通して芯体（２２）に連接されている。前記芯体（２２）の下端部に水平板（２３）が取付固定されるとともに、該水平板（２３）の端部から下方に向けて上昇移動阻止板（２４）が延設されている（図３〜７参照）。
【００２７】
また、前記料金収受ボックス本体（３０）の背面壁（給水機本体部と接する壁）の上部における前記挿通孔（３０ａ）の直下位置には、挿通空間形成用板（３１）が取付固定されている。この板（３１）は、その左右両端縁部が前記ボックス本体（３０）の背面壁に当接してネジ止め固定されると共に、左右両端縁部を除く中間領域が盛り上がった状態に成形されており、これによってこの挿通空間形成用板（３１）と前記ボックス本体（３０）の背面壁との間に、第２固定片（１２）を挿通する空間が形成されている。前記挿通空間形成用板（３１）における前記中間領域には上下方向に延びる長孔（３２）が穿設されている（図４〜６参照）。
【００２８】
前記給水ボトル（３）は、図７に示すように、有底略円筒状のプラスチック容器からなり、その先端部（開口部）は先端に向けて縮径されている。また、前記給水ボトル（３）の外周側面には周方向に沿って延びる溝部（４１）が形成されている。なお、図２、８において、（４３）は把持部である。しかして、前記給水ボトル（３）は倒立状態で前記給水機本体部（２）のケース上面に設置されている。即ち、前記給水ボトル（３）は倒立状態で、かつその縮径先端部（４２）が前記給水機本体部（２）のケース上面のボトル受容凹陥部（５１）内に嵌まり込んで安定状態に配置されている（図１、８参照）。
【００２９】
前記給水機本体部（２）のケースの左側面には第１固定片（１１）が固定されている。即ち、図７に示すように、前記給水機本体部（２）のケース上面から突出した状態で第１固定片（１１）が固定されている。また前記第１固定片（１１）の上端部において一対の半円弧状体（１３）（１３）の基端部がそれぞれ枢着されている。即ち、前記半円弧状体（１３）（１３）は、いずれも基端部を中心にして水平面内において自在に回動可能な状態に前記第１固定片（１１）に支持されている。さらに前記半円弧状体（１３）の先端縁から上方に向けて係止片（１５）が延ばされている。
【００３０】
また前記給水機本体部（２）のケースの右側面には第２固定片（１２）が上下方向にスライド移動可能な状態で固定されている。即ち、この第２固定片（１２）は、平板状の本体部（１２ａ）と、該本体部（１２ａ）の下端縁から水平に延ばされた水平部（１２ｂ）と、該水平部（１２ｂ）の端縁から下方に向けて延ばされた挿入部（１２ｃ）とを備えており、該挿入部（１２ｃ）が前記料金収受ボックス本体（３０）の挿通孔（３０ａ）に挿通され、更に前記ボックス本体（３０）の背面壁と挿通空間形成用板（３１）との間に形成された挿通空間内に挿通配置されると共に、前記挿入部（１２ｃ）の下端部に突設固定されたロック用突起部（２０）が、前記挿通空間形成用板（３１）の長孔（３２）を介してボックス本体（３０）内に突出した状態で配置されている。このようにして、前記第２固定片（１２）が上下方向にスライド移動可能な状態で前記給水機本体部（２）に取り付けられている。即ち、図７の状態では、前記ロック用突起部（２０）が前記長孔（３２）の下端に当接しているが、この状態から前記第２固定片（１２）を上方に移動させていくと、前記ロック用突起部（２０）が前記長孔（３２）の上端に当接するまで上方にスライド移動させることができる。
【００３１】
更に、前記第２固定片（１２）の上端部には、図７に示すように、下底が開放された略直方体形状の収納ボックス部（１６）が設けられている。この収納ボックス部（１６）は、前記係止片（１５）（１５）を収容し得る大きさに設計されている。
【００３２】
しかして、使用状態である安全ロック状態（図１参照）においては、前記一対の半円弧状体（１３）（１３）が略リング状に閉じて略リング状体（１４）を構成して前記給水ボトル（３）の外周面の溝部（４１）に嵌まり込んだ状態で、且つ前記係止片（１５）（１５）が前記第２固定片（１２）の収納ボックス部（１６）内に下方側から収容されることによってボトル周方向への移動が阻止された状態で、前記第２固定片（１２）に固定されることによって前記給水ボトル（３）の取り外しが阻止されている。
【００３３】
前記安全ロック状態は、次のようにして形成されている。即ち、図３、４に示すように、前記第２固定片（１２）の挿入部（１２ｃ）の下端部に突設固定されたロック用突起部（２０）が、前記挿通空間形成用板（３１）の長孔（３２）の下端に当接した状態において、前記鍵部（２１）に連接した上昇移動阻止板（２４）が（回転移動により）前記挿通空間形成用板（３１）に略平行状に近接した状態に配置されて前記ロック用突起部（２０）の上昇移動がこの上昇移動阻止板（２４）の下端縁によって阻止された状態で前記鍵部（２１）が閉錠されて鍵（２８）が離脱せしめられることによって、安全ロック状態が形成されている。即ち、前記ロック用突起部（２０）の上昇移動が前記上昇移動阻止板（２４）の下端縁によって阻止されているので、ロック用突起部（２０）に連接された前記第２固定片（１２）を上方にスライド移動させることはできない。従って、この安全ロック状態においては、非管理者（管理者以外の人）が給水ボトル（３）の取り外しを行うことはできない。
【００３４】
なお、本実施形態に係る有料給水機（１）における固定手段（４）は、前記第１固定片（１１）、半円弧状体（１３）（１３）、係止片（１５）（１５）、第２固定片（１２）、収納ボックス部（１６）及び挿通空間形成用板（３１）によって構成されている。また、本実施形態に係る有料給水機（１）における安全ロック手段（５）は、ロック用突起部（２０）、鍵部（２１）、芯体（２２）、水平板（２３）、上昇移動阻止板（２４）及び鍵（２８）によって構成されている。
【００３５】
この発明の有料給水機（１）は、使用状態である図１に示す安全ロック状態では、前記安全ロック手段（５）によって、前記固定手段（４）による給水ボトル（３）の固定状態のロックがなされているから、非管理者（管理者以外の人）によって給水ボトル（３）を取り外すことはできず、従って料金を支払うことなく飲料水を飲用する等の不正使用を防止することができると共に、給水ボトル（３）内への他の物質（飲料に適さない液体、粉末等）の混入を防止することができて十分な安全性を確保し得て使用者は安心して飲用できるものとなる。
【００３６】
使用者が硬貨投入口（３４）に１０円硬貨を１枚投入すれば、硬貨は検銭器（３７）において１０円硬貨であるかどうかの選別が実施され、１０円硬貨であることが確認されれば、硬貨は検銭器（３７）から硬貨保管箱（３８）に落とされる。この時、硬貨は、揺動アーム（図示しない）に接触してこれを下方向に揺動させて硬貨保管箱（３８）に落下し、この揺動が制御部（３６）によって検知される。１０円硬貨の投入を検知した制御部（３６）は、使用者が前記給湯スイッチ（５２）を押した場合には前記電磁バルブ（６１）を所定時間（又は所定量給湯するまで）開放制御して前記給湯ノズル（５９）より湯を供給する一方、使用者が前記給水スイッチ（５３）を押した場合には前記電磁バルブ（６２）を所定時間（又は所定量給水するまで）開放制御して前記給水ノズル（６０）より冷水を供給する。なお、検銭器（３７）において投入硬貨が１０円硬貨でないと判断された場合にはその硬貨は硬貨返却口（３５）に落とされ、使用者はこの硬貨返却口（３５）から硬貨を回収できる。
【００３７】
管理者が徴収した使用料を回収する際には、即ち管理者が前記硬貨保管箱（３８）に貯まった硬貨を回収する際には、前記扉（３３）の鍵穴（３３ａ）に鍵を挿入して開錠して扉（３３）を開ければ、硬貨を回収することができる。
【００３８】
また、管理者が給水ボトル（３）の交換を行う場合には、前記料金収受ボックス本体（３０）の鍵部（２１）の鍵孔（２１ａ）に鍵（２８）を挿入して約９０度右回転させる（この右回転操作は扉（３３）を開けずに行うことができる）。回転移動前の状態では、図４に示すように、前記第２固定片の挿入部（１２ｃ）に突設されたロック用突起部（２０）の上昇移動が上昇移動阻止板（２４）によって阻止されることによって安全ロック状態が維持されているのであるが、前記鍵（２８）の右回転によって、図５に示すように、前記上昇移動阻止板（２４）も右回転移動し、これによって前記ロック用突起部（２０）の上昇移動阻止状態が解除される。こうして前記安全ロック手段（５）による安全ロック状態が解除される。即ち、前記固定手段（４）による給水ボトル（３）の固定状態のロックが解除される。このロック解除状態においては、前記ロック用突起部（２０）は前記挿通空間形成用板（３１）の長孔（３２）内を上方にスライド移動可能な状態にある。
【００３９】
しかる後、使用者が前記第２固定片（１２）を上方にスライド移動させると、この第２固定片（１２）の先端の収納ボックス部（１６）内に収容されていた係止片（１５）（１５）が該収納ボックス部（１６）内から外に離脱する（図６参照）。この離脱状態においては、前記一対の半円弧状体（１３）（１３）は、いずれもその基端部を中心にして自在に回動できるようになされているので、前記収納ボックス部（１６）内から離脱すると同時に給水ボトル（３）の溝部（４１）からも離脱する。半円弧状体（１３）（１３）が溝部（４１）から離脱しなかった場合でも使用者が手で容易に離脱させることができる。このようにして給水ボトル（３）の固定状態を容易に解除することができる。次いで、図７に示すように、管理者が手で給水ボトル（３）を上方に持ち上げれば、給水ボトル（３）を取り外すことができる。
【００４０】
新たな交換用の給水ボトル（３）の設置は次のようにして行う。即ち、新たな給水ボトル（３）を前記給水機本体部（２）のケース上面に設置した後、この給水ボトル（３）の前記固定手段（４）による固定操作及び該固定状態のロック操作を、前記手順と逆順に行えば良い（図６、図５、図４の順に行えば良い）。
【００４１】
この発明において、前記給水ボトル（３）の形状は、上記実施形態のものに特に限定されるものではなく、例えば有底略多角柱状に形成されていても良い。
【００４２】
また、上記実施形態では、給水機本体部（２）は、給水（冷水）及び給湯の両方を行い得るように構成されているが、特にこのような構成に限定されるものではなく、例えば給冷水のみ行い得るように構成されていても良いし、或いは給湯のみ行い得るように構成されていても良い。
【００４３】
また、固定手段（４）、安全ロック手段（５）のいずれも上記実施形態の構成に特に限定されるものではなく、適宜設計変更することができる。
【００４４】
また、料金収受手段（６）も上記実施形態のものに特に限定されるものではなく、適宜設計変更することができる。例えば、上記実施形態では、釣り銭機能を有していないが、釣り銭を出せるように構成しても良い（例えば１００円硬貨の投入に対して１０円硬貨で釣り銭を出す等）。また、上記実施形態では、給水機使用料を硬貨により徴収しているが、勿論硬貨だけではなく紙幣でも使用料を徴収できる（釣り銭を出す）ように構成しても良い。
【００４５】
また、上記実施形態では、料金収受手段（６）は、給水機使用料を現金により徴収するものとなされているが、特にこのような形態に限定されるものではなく、例えばプリペイドカードにより徴収する形態を採用しても良い。或いはまた、使用者の携帯電話を利用して徴収する形態（例えば記録された使用者の携帯電話番号に基づいて予め決められた使用者の銀行口座から給水機使用料を後日引き落とす方法等が挙げられる）を採用することもできる。
【図面の簡単な説明】
【００４６】
【図１】この発明の有料給水機（安全ロック状態）の一実施形態を示す斜視図である。
【図２】（イ）は有料給水機の左側面図、（ロ）は正面図、（ハ）は右側面図である。
【図３】料金収受ボックスの扉を開いた状態を示す斜視図である。
【図４】ロック状態にある安全ロック手段及びその近傍を示す図である。
【図５】ロックを解除した状態の安全ロック手段及びその近傍を示す図である。
【図６】ロック解除後に第２固定片を上昇移動させて半円弧状体を離脱させた状態での安全ロック手段及びその近傍を示す図である。
【図７】ロック解除を行って給水ボトルを上方に取り外した状態を示す斜視図である。
【図８】安全ロック状態にある有料給水機の本体部の一部を切り欠いて示す右側面図である。
【符号の説明】
【００４７】
１…有料給水機
２…給水機本体部
３…給水ボトル
４…固定手段
５…安全ロック手段
６…料金収受手段
１１…第１固定片
１２…第２固定片
１３…半円弧状体
１４…略リング状体
１５…係止片
１６…収納ボックス部
２８…鍵
４１…ボトル溝部
５２…給湯スイッチ
５３…給水スイッチ
５４…加熱手段
５５…冷却手段
５６…給湯ライン
５７…給水ライン
【図１】
2006113643.tif 000003
【図２】
2006113643.tif 000004
【図３】
2006113643.tif 000005
【図４】
2006113643.tif 000006
【図５】
2006113643.tif 000007
【図６】
2006113643.tif 000008
【図７】
2006113643.tif 000009
【図８】
2006113643.tif 000010